(57)【特許請求の範囲】
【請求項１】
利用者を被写体として複数回の撮影を行い、複数の撮影画像を取得する撮影手段と、
前記利用者による編集入力に応じて前記撮影画像を編集し、編集画像を生成する編集手段と、
シール紙に印刷する前記撮影画像と、前記シール紙に印刷する前記編集画像または前記編集画像の生成の元になった前記撮影画像と、のうちの少なくとも１枚の画像の全ての画素に対して、画像の見え方が異なるものになるように加工を施す加工手段と、
予め定められた、前記撮影画像または前記編集画像が配置される領域である画像配置領域と、前記加工が施されることによって生成された加工画像が配置される領域のレイアウトに従って、前記シール紙に並べて形成される複数の前記画像配置領域にそれぞれ前記撮影画像または前記編集画像を配置し、前記加工画像が配置される領域に前記加工画像を配置する配置手段と、
前記配置手段による配置に従って、前記シール紙に画像を印刷する印刷手段と
を備える画像印刷装置。
【請求項２】
前記加工手段は、前記加工画像に情報を重畳し、
前記配置手段は、前記情報が重畳された前記加工画像を前記加工画像が配置される領域に配置する
請求項１に記載の画像印刷装置。
【請求項３】
前記レイアウトの選択画面を表示させる第１の表示制御手段をさらに備え、
前記選択画面においては、前記レイアウト毎に、前記加工画像に重畳される前記情報の表示が異なるものとされる
請求項２に記載の画像印刷装置。
【請求項４】
前記加工手段は、前記加工の対象となる画像の全ての画素の画素値を変更する
請求項１乃至３のいずれかに記載の画像印刷装置。
【請求項５】
前記加工手段は、前記加工画像としてグレースケール画像を生成する
請求項１乃至４のいずれかに記載の画像印刷装置。
【請求項６】
前記配置手段は、前記画像配置領域に配置した前記撮影画像または前記編集画像と並べて前記加工画像を配置する
請求項１乃至５のいずれかに記載の画像印刷装置。
【請求項７】
前記シール紙には、複数の前記画像配置領域が縦方向および横方向に並べて形成され、
前記加工手段は、前記加工画像が配置される領域の斜め方向にある前記画像配置領域に配置される前記撮影画像に前記加工を施すか、前記加工画像が配置される領域の斜め方向にある前記画像配置領域に配置される前記編集画像または前記編集画像の元になった前記撮影画像に前記加工を施す
請求項１乃至６のいずれかに記載の画像印刷装置。
【請求項８】
前記加工画像が配置される領域の斜め方向にある前記画像配置領域に配置される前記撮影画像または前記編集画像は、前記利用者が斜めに写る画像である
請求項７に記載の画像印刷装置。
【請求項９】
前記配置手段は、前記撮影手段による撮影のコースに応じて、前記撮影画像または前記編集画像の配置位置を切り替える
請求項１乃至８のいずれかに記載の画像印刷装置。
【請求項１０】
前記加工手段は、前記加工の対象となる画像の選択画面を用いて前記利用者により選択された前記撮影画像または前記編集画像に前記加工を施す
請求項１乃至９のいずれかに記載の画像印刷装置。
【請求項１１】
目の大きさが複数表示され、この複数の中から１つを前記利用者に選択させる選択画面を用いて前記利用者により選択された大きさになるように、前記撮影画像に写る前記利用者の目の大きさを調整する調整手段をさらに備え、
前記加工手段は、前記調整手段による調整後の前記撮影画像、または調整後の前記撮影画像に編集を施すことによって生成された前記編集画像に前記加工を施す
請求項１乃至１０のいずれかに記載の画像印刷装置。
【請求項１２】
前記加工手段は、前記撮影画像に前記加工を施した画像を前記加工画像として用いるか、前記編集画像に前記加工を施した画像を前記加工画像として用いるかの選択画面において、前記撮影画像に前記加工を施した画像を用いることが前記利用者により選択された場合、前記撮影画像に前記加工を施し、前記編集画像に前記加工を施した画像を用いることが前記利用者により選択された場合、前記編集画像に前記加工を施す
請求項１乃至１１のいずれかに記載の画像印刷装置。
【請求項１３】
前記編集入力に用いられる編集画面を表示させる第２の表示制御手段をさらに備え、
前記編集画面においては、前記加工の対象となる画像に対して編集を行うことが可能とされる
請求項１乃至１２のいずれかに記載の画像印刷装置。
【請求項１４】
利用者を被写体として複数回の撮影を行い、複数の撮影画像を取得し、
前記利用者による編集入力に応じて前記撮影画像を編集し、編集画像を生成し、
シール紙に印刷する前記撮影画像と、前記シール紙に印刷する前記編集画像または前記編集画像の生成の元になった前記撮影画像と、のうちの少なくとも１枚の画像の全ての画素に対して、画像の見え方が異なるものになるように加工を施し、
予め定められた、前記撮影画像または前記編集画像が配置される領域である画像配置領域と、前記加工が施されることによって生成された加工画像が配置される領域のレイアウトに従って、前記シール紙に並べて形成される複数の前記画像配置領域にそれぞれ前記撮影画像または前記編集画像を配置し、前記加工画像が配置される領域に前記加工画像を配置し、
配置に従って、前記シール紙に画像を印刷する
ステップを含む画像印刷方法。
【発明の詳細な説明】
【技術分野】
【０００１】
本発明は、画像印刷装置および画像印刷方法に関し、特に、撮影にかかる時間を抑えつつ、余白も含めたシール紙の印刷可能なすべての領域を利用者が満足するような形で装飾することができるようにした画像印刷装置および画像印刷方法に関する。
【背景技術】
【０００２】
利用者を撮影し、撮影画像に対して利用者に編集（落書き）を行わせ、編集後の画像をシール紙に印刷して提供する写真シール機が知られている。このような写真シール機は娯楽（遊戯）施設等に設置される。
【０００３】
シール紙には、利用者によって選択されたレイアウトに応じて、撮影画像や編集後の撮影画像である編集画像が複数並べて印刷される。撮影画像や編集画像が配置され、印刷されるシール紙上の領域を画像配置領域とすると、シール紙には、複数の画像配置領域と、画像配置領域以外の領域である余白領域とが形成される。この場合の余白領域とは、シール紙の縁ではなく、編集画像等を配置しないで印刷可能な領域のすべてである。
【０００４】
通常、この余白領域には、写真シール機の商品名、販売会社名、ゲームで利用した撮影コース名、ゲーム終了後、撮影画像を利用者の携帯端末の画面に表示させるときのアクセス先となるURL(Uniform Resource Locator)、その表示に用いるID等の文字情報が印刷される。
【０００５】
特許文献１には、余白領域に印刷する文字情報等を利用者が編集できるようにした技術が開示されている。特許文献１に開示されている写真プリント提供装置においては、第１の落書き入力手段を用いた利用者の入力に応じて撮影画像の編集を行うとともに、第２の落書き入力手段を用いた利用者の入力に応じて余白領域の編集を行い、編集後の撮影画像を画像配置領域に、入力された文字情報等を余白領域にそれぞれ印刷するようになされている。
【先行技術文献】
【特許文献】
【０００６】
【特許文献１】特開２００５−１７６２０７号公報
【発明の概要】
【発明が解決しようとする課題】
【０００７】
特許文献１に記載の技術においては、文字情報以外の情報をも余白領域に入力できるようにすることでデザイン性の向上が図られているが、第２の落書き入力手段による入力も利用者自身が行うようになされているため、利用者によっては、時間がなく、余白領域に何も入力できないことがあった。通常、撮影後の編集には、３分などのように制限時間が予め設定されている。
【０００８】
また、余白領域の編集までを十分に行うことができるようにするためには制限時間を長く確保しておく必要があり、この場合、１ゲーム全体のプレイ時間が延びることによって、写真シール機の利用者の回転数が落ちてしまう（単位時間当たりの利用者数が減ってしまう）。
【０００９】
ところで、コラージュ画像は、撮影画像から抽出した人物の画像を他の撮影画像に重ねるなどして複数枚の撮影画像を組み合わせた画像である。コラージュ画像を余白領域に配置して印刷する写真シール機があるが、コラージュ画像は複数枚の撮影画像を用いて生成されるものであるため、コラージュ画像を配置する領域が大きくなってしまい、その結果、撮影画像を配置する画像配置領域が小さくなってしまう。
【００１０】
また、人物が写る領域のみを撮影画像から抽出して他の画像に重ねることによってコラージュ画像を生成するようになされているため、人物の立体感を、人物と背景の関係によって表現することができない。
【００１１】
モデルの人の画像を余白領域に印刷する別の写真シール機もあるが、余白領域が小さいためにデザイン性が高くなかったり、利用者自身の画像を用いるものではないために利用者の満足度を高めることができなかったりするなどの問題があった。
【００１２】
本発明はこのような状況に鑑みてなされたものであり、撮影にかかる時間を抑えつつ、余白も含めたシール紙の印刷可能なすべての領域を利用者が満足するような形で装飾することができるようにするものである。
【課題を解決するための手段】
【００１３】
本発明の一側面の画像印刷装置は、利用者を被写体として複数回の撮影を行い、複数の撮影画像を取得する撮影手段と、前記利用者による編集入力に応じて前記撮影画像を編集し、編集画像を生成する編集手段と、シール紙に印刷する前記撮影画像と、前記シール紙に印刷する前記編集画像または前記編集画像の生成の元になった前記撮影画像と、のうちの少なくとも１枚の画像の全ての画素に対して、画像の見え方が異なるものになるように加工を施す加工手段と、予め定められた、前記撮影画像または前記編集画像が配置される領域である画像配置領域と、前記加工が施されることによって生成された加工画像が配置される領域のレイアウトに従って、前記シール紙に並べて形成される複数の前記画像配置領域にそれぞれ前記撮影画像または前記編集画像を配置し、前記加工画像が配置される領域に、前記加工画像を配置する配置手段と、前記配置手段による配置に従って、前記シール紙に画像を印刷する印刷手段とを備える。
【００１４】
本発明の一側面の画像印刷方法は、利用者を被写体として複数回の撮影を行い、複数の撮影画像を取得し、前記利用者による編集入力に応じて前記撮影画像を編集し、編集画像を生成し、シール紙に印刷する前記撮影画像と、前記シール紙に印刷する前記編集画像または前記編集画像の生成の元になった前記撮影画像と、のうちの少なくとも１枚の画像の全ての画素に対して、画像の見え方が異なるものになるように加工を施し、予め定められた、前記撮影画像または前記編集画像が配置される領域である画像配置領域と、前記加工が施されることによって生成された加工画像が配置される領域のレイアウトに従って、前記シール紙に並べて形成される複数の前記画像配置領域にそれぞれ前記撮影画像または前記編集画像を配置し、前記加工画像が配置される領域に前記加工画像を配置し、配置に従って、前記シール紙に画像を印刷するステップを含む。
【００１５】
本発明の一側面においては、利用者を被写体として複数回の撮影が行われ、複数の撮影画像が取得され、前記利用者による編集入力に応じて前記撮影画像が編集され、編集画像が生成される。また、シール紙に印刷される前記撮影画像と、前記シール紙に印刷される前記編集画像または前記編集画像の生成の元になった前記撮影画像と、のうちの少なくとも１枚の画像の全ての画素に対して、画像の見え方が異なるものになるように加工が施され、予め定められた、前記撮影画像または前記編集画像が配置される領域である画像配置領域と、前記加工が施されることによって生成された加工画像が配置される領域のレイアウトに従って、前記シール紙に並べて形成される複数の前記画像配置領域にそれぞれ前記撮影画像または前記編集画像が配置され、前記加工画像が配置される領域に、前記加工画像が配置される。その配置に従って、前記シール紙に画像が印刷される。
【発明の効果】
【００１６】
本発明によれば、撮影にかかる時間を抑えつつ、余白も含めたシール紙の印刷可能なすべての領域を利用者が満足するような形で装飾することができる。
【図面の簡単な説明】
【００１７】
【図１】写真シール作成装置の外観の構成例を示す斜視図である。
【図２】写真シール作成装置の外観の構成例を示す他の斜視図である。
【図３】利用者の移動について説明する図である。
【図４】撮影部の構成例を示す図である。
【図５】背景部の構成例を示す図である。
【図６】編集部の正面の構成例を示す図である。
【図７】編集部の側面の構成例を示す図である。
【図８】写真シール作成装置の外観の構成例を示すさらに他の斜視図である。
【図９】シール紙の例を示す図である。
【図１０】写真シール作成装置の内部の構成例を示すブロック図である。
【図１１】制御部の機能構成例を示すブロック図である。
【図１２】撮影処理部の構成例を示すブロック図である。
【図１３】編集処理部の構成例を示すブロック図である。
【図１４】印刷処理部の構成例を示すブロック図である。
【図１５】写真シール作成ゲームについて説明するフローチャートである。
【図１６】図１５のステップＳ２において行われる撮影処理について説明するフローチャートである。
【図１７】通常撮影の例を示す図である。
【図１８】斜め撮影の例を示す図である。
【図１９】全身撮影の例を示す図である。
【図２０】図１５のステップＳ４において行われる編集処理について説明するフローチャートである。
【図２１】編集画面の例を示す図である。
【図２２】シール紙イメージ上の領域の例を示す図である。
【図２３】画像の配置の例を示す図である。
【図２４】分割数選択画面の例を示す図である。
【図２５】シール紙イメージを拡大して示す図である。
【図２６】分割数選択画面の他の例を示す図である。
【図２７】図１５のステップＳ６において行われる印刷処理について説明するフローチャートである。
【図２８】シール紙の例を示す図である。
【図２９】シール紙イメージ上の領域の他の例を示す図である。
【図３０】図２９の加工画像配置領域に加工画像を配置した例を示す図である。
【図３１】図３０の画像配置領域に撮影画像を配置した例を示す図である。
【図３２】横方向のレイアウトの例を示す図である。
【図３３】分割数選択画面のさらに他の例を示す図である。
【図３４】編集画面の他の例を示す図である。
【図３５】３人が写るシール紙の例を示す図である。
【図３６】３人が写るシール紙の他の例を示す図である。
【図３７】４人が写るシール紙の例を示す図である。
【図３８】４人が写るシール紙の他の例を示す図である。
【発明を実施するための形態】
【００１８】
＜実施例１＞
［写真シール作成装置の外観構成］
図１は、写真シール作成装置１の外観の構成例を示す斜視図である。
【００１９】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人等の複数人である。ここでは、利用者が２人である場合について説明する。
【００２０】
写真シール作成装置１で遊ぶ利用者は、自身が被写体となって撮影を行い、撮影によって得られた撮影画像を手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００２１】
図１に示すように、写真シール作成装置１は、基本的に、撮影ユニット１１と編集ユニット１２が接した状態で設置されることによって構成される。
【００２２】
撮影ユニット１１は、撮影部２１と背景部２２から構成される。撮影部２１と背景部２２は離して設置され、撮影部２１と背景部２２の間に形成される空間が、利用者が撮影を行う撮影空間となる。
【００２３】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００２４】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００２５】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において連結部２３Ｂ’（図８）によって連結される。
【００２６】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００２７】
背景部２２の上部には、背面パネル５１、側面パネル５２Ａ、および側面パネル５２Ｂに支持される形でクロマキーカーテンユニット２５が設けられる。クロマキーカーテンユニット２５には、利用者の背景に写る所定の色のクロマキーカーテンが収納される。クロマキーカーテンユニット２５は、撮影と連動して、適宜、撮影空間内にクロマキーカーテンを下ろす。クロマキーカーテンユニット２５によるクロマキーカーテンの上げ下げは、例えば撮影コースに応じて行われる。
【００２８】
撮影空間の上方には、撮影部２１の正面、連結部２３Ａ、連結部２３Ｂ、およびクロマキーカーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００２９】
編集ユニット１２は、撮影画像の編集処理を行う装置である。編集ユニット１２は、一方の側面が撮影部２１の背面に接するように撮影ユニット１１に連結して設けられる。
【００３０】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００３１】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００３２】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００３３】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００３４】
図２は、写真シール作成装置１の他の斜視図である。
【００３５】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００３６】
ここで、写真シール作成ゲームの流れと、それに伴う利用者の移動について説明する。
図３は、写真シール作成装置１を上から見た平面図である。
【００３７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。
【００３８】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００３９】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４０】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００４１】
画像の印刷が終了したとき、利用者は、シール紙排出口からシール紙を受け取り、一連の写真シール作成ゲームを終えることになる。
【００４２】
次に、各装置の構成について説明する。
【００４３】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００４４】
正面パネル４２の中央には、上底：下底の比を略１：５とし、下底の長さが正面パネル４２の横幅と同じ長さの等脚台形を上下逆さまにした面を有する凸部８１が形成される。
凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００４５】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００４６】
カメラ１０１の上に設けられた正面ストロボ１０２は、乳白アクリル板などよりなる横長長方形の発光面を有する。正面ストロボ１０２は、カメラ１０１による撮影に合わせて発光することで、被写体としての利用者の顔付近を正面から照射する。
【００４７】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００４８】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００４９】
ベース部４３の中央には利用者の足元を照射する足元ストロボ１１２が設けられ、足元ストロボ１１２の垂直面の右側には、利用者が硬貨を入れる硬貨投入返却口１１４が設けられる。
【００５０】
ベース部４３の上面には、足元ストロボ１１２の上面を挟んでスペース１１３Ａおよび１１３Ｂが左右に形成される。スペース１１３Ａおよび１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００５１】
［背景部の構成］
図５は、背景部２２の撮影空間Ａ１側の構成例を示す図である。
【００５２】
背面パネル５１の上方にはクロマキーカーテンユニット２５が設けられる。背面パネル５１の出入り口Ｇ１側の上方には、撮影空間Ａ１内で撮影を行っている利用者を右後方から照射する背面右ストロボ１２１が取り付けられる。また、背面パネル５１の出入り口Ｇ２側の上方には、撮影空間Ａ１内で撮影を行っている利用者を左後方から照射する背面左ストロボ１２２が取り付けられる。
【００５３】
［編集部の構成］
図６は、編集ユニット１２の正面側（編集空間Ａ２−１側）の構成例を示す図である。
【００５４】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００５５】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００５６】
図７、図８は、編集ユニット１２の右側面の構成例を示す図である。
【００５７】
編集ユニット１２の側面にはタブレット内蔵モニタ１６１が設けられる。タブレット内蔵モニタ１６１には、事後接客機能を利用するときに用いられる画面が表示される。
【００５８】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００５９】
［シール紙の例］
図９は、以上のような外観構成を有する写真シール作成装置１により提供されるシール紙の例を示す図である。
【００６０】
後に詳述するように、写真シール作成装置１が提供する撮影コースには、例えばbeautyコースとedgyコースとの２種類のコースがある。撮影の開始前、利用者は、いずれの撮影コースを利用するのかを選択する。
【００６１】
図９Ａは、beautyコースを選択した場合に提供されるシール紙の例を示す図である。
【００６２】
図９Ａに示すように、シール紙には、横方向の長さに対して縦方向の長さが若干長い角丸長方形の画像が上段の右側に寄せて２枚、下段に３枚並べて印刷される。それぞれの画像には、利用者である２人の人物がポーズを変えて写っている。beautyコースを選択した場合、利用者の略胸より上の範囲を撮影範囲とした撮影が５回行われ、撮影画像、または撮影画像に編集を施して得られた編集画像が印刷される。
【００６３】
下段中央の画像に付されている「ラッキー」の文字は編集によって入力された手書き文字であり、右下の画像に付されているハート型の画像は編集によって入力されたスタンプ画像である。このように、５枚の撮影画像のうち、編集が行われたものについては編集画像が印刷され、編集が行われなかったものについては撮影画像がそのまま印刷される。下段中央の画像と右下の画像は編集画像であり、その他の画像は撮影画像である。
【００６４】
シール紙の左上には、写真シール作成装置１の機種名である「SPiCA」の文字や撮影日時などの文字情報が、利用者が写る撮影画像に重ねて印刷されている。文字情報が重ねて印刷される左上の撮影画像は、右下に印刷されている編集画像の元になった撮影画像に対して、グレースケール表示にするなどの加工を施して得られた画像である。
【００６５】
図９Ａにおいて、左上の画像に色を付して示していることは、左上の画像がグレースケールで薄く印刷されていることを表す。シール紙のレイアウトを示す他の図においても同様である。利用者は、自身の画像が背景として薄く現れる文字情報を見ることになる。なお、左上の画像以外の５枚の画像はカラー印刷された画像である。
【００６６】
以下、適宜、シール紙全体のうち、撮影画像または編集画像が印刷される領域を画像配置領域といい、撮影画像や編集画像が配置されない領域で、印刷可能な領域を余白領域という。また、画像配置領域にカラー印刷される画像に加工を施して得られた画像を加工画像という。加工画像は余白領域に印刷される画像であり、撮影画像又は編集画像のすべての画素を加工して、撮影画像又は編集画像とは画像の見え方が異なる加工を施して得られる画像である。
【００６７】
図９Ｂは、edgyコースを選択した場合に提供されるシール紙の例を示す図である。
【００６８】
図９Ｂに示すように、edgyコースを選択した場合、利用者の略胸より上の範囲を撮影範囲とした撮影が３回行われ、全身を撮影範囲とした撮影が２回行われる。全身を撮影範囲とした撮影によって得られた撮影画像、またはその撮影画像に編集を施して得られた編集画像は右端に縦に並べて印刷される。右下の画像に付されている「LOVE」の文字は編集によって入力された手書き文字である。
【００６９】
左上の余白領域には、機種名などの文字情報が、下段中央に印刷される撮影画像に加工を施して得られた加工画像に重ねて印刷される。
【００７０】
このように、写真シール作成装置１においては、シール紙に５枚の撮影画像または編集画像が印刷され、その余白に、１枚の撮影画像に加工を施して得られた画像が文字情報の背景として印刷される。
【００７１】
余白領域に文字情報だけを印刷するのではなく、文字情報の背景として利用者自身が写る画像がカラーの撮影画像や編集画像とほぼ同じ大きさで印刷されることから、文字情報の視認性を確保したまま、全体的に無駄なスペースのない印象のあるシール紙を提供することが可能になる。
【００７２】
また、画像配置領域に配置される撮影画像や編集画像の元になった撮影画像を用いて加工画像が生成されることから、加工画像の生成に用いる画像、すなわち余白に印刷するためだけの画像を撮影する必要がない。これにより、余白に印刷するためだけの画像を、カラー印刷する画像とは別に撮影する場合に較べて、撮影にかかる時間を抑えることができ、写真シール作成装置１の利用者の回転数を落とさずに済む。
【００７３】
さらに、利用者自身が写る画像が余白に印刷されることから、モデルの画像などを印刷する場合と較べて、カラー印刷される画像と並べても違和感のない、デザイン性の高いシール紙を提供することができ、利用者の満足感を高めることが可能となる。
【００７４】
シール紙の余白は、機種名、撮影日時などが印刷される領域であり、従来、それらの情報が確認された後に切断して廃棄される領域であったが、利用者自身が写る画像を印刷することによって、切断して廃棄されるのを防ぐことが可能になる。利用者にとっては、文字情報を記載した余白領域も含めて、価値のある１枚のシール紙となる。
【００７５】
このような画像をシール紙に印刷する写真シール作成装置１の処理については後述する。なお、シール紙排出口１６２から排出されるシール紙には、図９Ａまたは図９Ｂに示すレイアウトの画像全体を１枚分として、２枚分の画像が印刷される。２人の利用者は、排出されたシール紙を上下に半分に切るなどしてそれぞれ分けることになる。
【００７６】
［写真シール作成装置の内部構成］
図１０は、写真シール作成装置１の内部の構成例を示すブロック図である。上述した構成と同じ構成には同じ符号を付してある。重複する説明については適宜省略する。
【００７７】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００７８】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７９】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００８０】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８１】
ROM２０６には、制御部２０１において実行されるプログラムやデータが記憶されている。RAM２０７は、制御部２０１が処理するデータやプログラムを一時的に記憶する。
【００８２】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００８３】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００８４】
背景制御部２２２は、制御部２０１から供給される背景制御信号に従ってクロマキーカーテンユニット２５を制御し、クロマキーカーテンの上げ下げを行う。
【００８５】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００８６】
カメラ１０１は、制御部２０１による制御に従って撮影を行い、撮影によって得られた画像を制御部２０１に出力する。
【００８７】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００８８】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８９】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。
プリンタ２４１にはシール紙ユニット２４２が装着される。
【００９０】
プリンタ２４１は、制御部２０１から供給された印刷データに基づいて、撮影画像や編集画像をシール紙ユニット２４２に収納されているシール紙に印刷し、シール紙排出口１６２に排出する。制御部２０１からプリンタ２４１に対しては、図９Ａ、図９Ｂに示すように各画像が配置されたイメージデータが印刷データとして供給される。
【００９１】
［制御部の構成］
図１１は、制御部２０１の機能構成例を示すブロック図である。図１１に示す機能部のうちの少なくとも一部は、制御部２０１内のCPUにより所定のプログラムが実行されることによって実現される。
【００９２】
制御部２０１においては、撮影処理部３０１、編集処理部３０２、印刷処理部３０３、および事後接客処理部３０４が実現される。
【００９３】
撮影処理部３０１は、撮影部２０８の各部を制御し、写真シール作成装置１を利用する際に投入される代金に関する処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【００９４】
図１２は、撮影処理部３０１の構成例を示すブロック図である。
【００９５】
撮影処理部３０１は、撮影制御部３１１、トリミング処理部３１２、表示制御部３１３、調整部３１４、および撮影画像記憶部３１５から構成される。
【００９６】
撮影制御部３１１は、撮影処理の開始時、カメラ１０１を制御して動画を撮影する。撮影制御部３１１により撮影された動画はライブビューの表示に用いられる。また、撮影制御部３１１は、ライブビューが表示された後、所定のタイミングで静止画を撮影する。例えば１回のゲームでは静止画の撮影が５回行われる。撮影制御部３１１により撮影された画像はトリミング処理部３１２に供給される。
【００９７】
トリミング処理部３１２は、撮影制御部３１１から供給された動画を構成する各フレームを対象としてトリミングを行い、トリミングにより切り出した範囲の画像からなる動画を表示制御部３１３に供給する。また、トリミング処理部３１２は、撮影制御部３１１から供給された静止画を対象としてトリミングを行い、トリミングにより切り出した範囲の静止画を表示制御部３１３と調整部３１４に供給する。
【００９８】
表示制御部３１３は、タッチパネルモニタ９２の表示を制御する。例えば、表示制御部３１３は、撮影の仕方を説明するガイダンス画面を表示させたり、トリミング処理部３１２から供給された動画に基づいてライブビューを表示させたりする。
【００９９】
調整部３１４は、トリミング処理部３１２から供給された静止画を対象として画像処理を施し、写りの調整を行う。調整部３１４が調整する写りには、静止画に写る利用者の目の大きさ、顔の大きさ、画像の明るさなどが含まれる。調整部３１４は、写りの調整後の静止画を撮影画像として撮影画像記憶部３１５に出力し、記憶させる。撮影画像記憶部３１５に記憶された５枚の撮影画像は編集処理時に読み出される。
【０１００】
図１３は、編集処理部３０２の構成例を示すブロック図である。
【０１０１】
編集処理部３０２は、編集対象画像生成部３３１、編集対象画像記憶部３３２、編集部３３３、編集画像記憶部３３４、表示制御部３３５、加工部３３６、配置処理部３３７、およびシール紙イメージ記憶部３３８から構成される。
【０１０２】
編集対象画像生成部３３１は、編集処理の開始時、撮影画像記憶部３１５に記憶されている撮影画像を読み出し、編集対象となる撮影画像を生成する。
【０１０３】
例えば、編集対象画像生成部３３１は、四隅を角丸にする処理である角丸処理を撮影画像に施し、編集対象となる撮影画像を生成する。角丸ではない長方形の撮影画像がそのまま編集対象として用いられるようにしてもよいし、編集対象として角丸の撮影画像を用いるか角丸ではない撮影画像を用いるかを利用者が選択できるようにしてもよい。
【０１０４】
また、編集対象画像生成部３３１は、適宜、撮影画像に写る利用者の背景に背景画像を合成することによって、編集対象となる撮影画像を生成する。編集対象画像生成部３３１は、生成した編集対象の撮影画像を編集対象画像記憶部３３２に出力し、記憶させる。
【０１０５】
編集部３３３は、撮影画像を編集対象画像記憶部３３２から読み出し、タブレット内蔵モニタ１３１から供給される信号に基づいて編集する。タブレット内蔵モニタ１３１から編集部３３３に対しては、利用者による編集入力を表す信号が供給される。編集部３３３は、撮影画像を編集して得られた編集画像を編集画像記憶部３３４に出力し、記憶させる。
【０１０６】
表示制御部３３５は、タブレット内蔵モニタ１３１の表示を制御する。例えば、表示制御部３３５は、編集対象画像記憶部３３２に記憶されている編集対象の撮影画像を読み出し、編集画面を表示させる。
【０１０７】
また、表示制御部３３５は、配置処理部３３７により生成されたシール紙イメージに基づいて、分割数、すなわちシール紙のレイアウトの選択画面を表示させる。配置処理部３３７においては、撮影画像などを予め定められたレイアウトに従ってシール紙上に配置したときのイメージを表すシール紙イメージが、編集対象画像記憶部３３２に記憶されている撮影画像、編集画像記憶部３３４に記憶されている編集画像、および加工部３３６により生成された加工画像を用いて複数種類生成される。
【０１０８】
加工部３３６は、編集対象画像記憶部３３２に記憶されている撮影画像のうちの所定の撮影画像を読み出し、加工を施すことによって加工画像を生成する。
【０１０９】
ここで、加工は、画像の全画素を対象とした画像処理であり、単一色の濃淡と明暗で被写体を表すように画素値を変更する処理が含まれる。
【０１１０】
例えば、edgyコースによって撮影された画像を加工の対象とする場合、黒の濃淡と明暗で被写体を表す画像になるように画素値が変更される。
【０１１１】
また、beautyコースによって撮影された画像を加工の対象とする場合、背景の色に合わせた色の濃淡と明暗で被写体を表す画像になるように画素値が変更される。背景の色がピンクである場合、ピンクの濃淡と明暗で被写体を表すように画素値が変更される。後述するように、撮影コースがbeautyコースである場合、撮影画像に写る利用者の背景に合成する色を選択することができるようになされている。
【０１１２】
このように、加工部３３６による加工として、被写体の構図自体は変わらないが、画像配置領域に配置される撮影画像や編集画像とは見え方の異なる画像になるような処理が施される。カラーの画像を加工画像として用いずに単一色の画像を用いることにより、加工画像に重畳する文字情報の視認性を高めることが可能になる。
【０１１３】
なお、単一色の濃淡と明暗で被写体を表すように画素値を変更するとともに、コントラスト、明るさ等を画像処理により補正して、より適切な色調にするようにしてもよい。また、フィルターをかけて、ドット調、セピア調、絵画調の画像になるような処理を施してもよいし、唇部分などの人物の特徴部分のみをカラーとし、残りの部分をグレースケールにするなどの処理を施してもよい。重畳する文字情報の色に合わせて、撮影画像の色味を決定してもよい。
【０１１４】
また、加工部３３６は、加工を施して生成した単一色の画像に文字情報や他の画像を重畳する。
【０１１５】
文字情報には、写真シール作成装置１の機種名、販売会社名、撮影日時、撮影コース、キャッチフレーズ、撮影画像を取得するためのアクセス先となるサーバのURL、撮影画像をサーバから取得するときに用いられるIDなどの情報が含まれる。なお、文字情報は、撮影画像または編集画像よりも見やすく加工された画像とすることができる。
【０１１６】
比較的広い領域に文字情報を印刷するようにしたため、各種の情報の大きさ、位置等について高い自由度を確保することが可能になる。文字情報の印刷のバリエーションについては、図２４、図２５を参照して後述する。また、それぞれの情報を大きな文字を用いて印刷することができるため、シール紙の縁の余白部分などに文字情報を印刷する場合に較べて、文字情報を見やすくすることが可能になる。
【０１１７】
文字情報の色については、利用者が自ら選択することができるようにしてもよいし、背景となる加工画像の色に応じて自動的に選択されるようにしてもよい。加工画像の色と同化しない色を選択することにより、文字情報を見やすくすることが可能になる。
【０１１８】
文字情報の入力領域が大きいことから、撮影画像の編集時に、「今日、○○とカラオケにいってきたよ！」などの文字情報を利用者が入力することができるようにしてもよいし、予め用意されたカテゴリ毎の文字情報の中から好みの文字情報を選択して入力することができるようにしてもよい。
【０１１９】
加工部３３６は、このような文字情報を重畳した加工画像を配置処理部３３７に出力する。
【０１２０】
配置処理部３３７は、編集対象画像記憶部３３２に記憶されている撮影画像または編集画像記憶部３３４に記憶されている編集画像を画像配置領域に配置し、加工部３３６により生成された加工画像を余白領域に配置することによって複数のシール紙イメージを生成する。配置処理部３３７は、生成したシール紙イメージを表示制御部３３５に出力する。
【０１２１】
また、配置処理部３３７は、分割数の選択画面から所定のレイアウトが選択されたとき、利用者によって選択されたレイアウトのシール紙イメージをシール紙イメージ記憶部３３８に出力し、記憶させる。例えば、２人の利用者はそれぞれ異なるレイアウトを分割数の選択画面から選択することが可能とされる。シール紙イメージ記憶部３３８には、それぞれの利用者により選択されたレイアウトのシール紙イメージが記憶される。
【０１２２】
図１４は、印刷処理部３０３の構成例を示すブロック図である。
【０１２３】
印刷処理部３０３は、印刷データ生成部３５１と印刷制御部３５２から構成される。
【０１２４】
印刷データ生成部３５１は、印刷処理の開始時、シール紙イメージ記憶部３３８に記憶されているシール紙イメージを読み出し、印刷データを生成する。印刷データは、例えば、一方の利用者により選択されたレイアウトを表すシール紙イメージが上半分に配置され、他方の利用者により選択されたレイアウトを表すシール紙イメージが下半分に配置された、シール紙全体のイメージを表すデータである。
【０１２５】
印刷制御部３５２は、プリンタ２４１を制御し、印刷データ生成部３５１により生成された印刷データに基づいて画像をシール紙に印刷させる。
【０１２６】
［写真シール作成装置の動作］
次に、写真シール作成装置１の動作について説明する。
【０１２７】
はじめに、図１５のフローチャートを参照して、写真シール作成ゲームを提供する写真シール作成装置１の処理について説明する。
【０１２８】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１２９】
硬貨が投入されたとステップＳ１において判定した場合、ステップＳ２において、撮影処理部３０１は撮影処理を行う。撮影処理においては、撮影空間Ａ１にいる利用者を被写体として撮影が行われる。撮影処理の詳細については、図１６のフローチャートを参照して後述する。
【０１３０】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１３１】
ステップＳ４において、編集処理部３０２は、編集空間Ａ２−１と編集空間Ａ２−２のうち、撮影を終えた利用者の移動先とした方の編集空間に対応する編集部２０９Ａまたは編集部２０９Ｂを制御して編集処理を行う。編集処理の詳細については、図２０のフローチャートを参照して後述する。
【０１３２】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１３３】
ステップＳ６において、印刷処理部３０３は印刷処理を行う。印刷処理により、撮影画像や編集画像が利用者により選択されたレイアウトに従ってシール紙に印刷される。印刷処理の詳細については、図２７のフローチャートを参照して後述する。
【０１３４】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１３５】
印刷が終了した場合、ステップＳ８において、事後接客処理部３０４は、画像が印刷されたシール紙をシール紙排出口１６２に排出させ、処理を終了する。
【０１３６】
［撮影処理の例］
次に、図１６のフローチャートを参照して、図１５のステップＳ２において行われる撮影処理について説明する。
【０１３７】
ステップＳ２１において、撮影処理部３０１の表示制御部３１３は、コース選択画面をタッチパネルモニタ９２に表示させる。コース選択画面には、例えば、撮影コースとしてbeautyコースを選択する場合に操作されるボタンと、edgyコースを選択する場合に操作されるボタンが表示される。利用者は、タッチパネルモニタ９２の表面に指で触れるなどしていずれの撮影コースで撮影を行うのかを選択する。
【０１３８】
beautyコースを選択した場合の撮影とedgyコースを選択した場合の撮影とでは、クロマキーカーテンの有無、撮影モードの種類、撮影時に照射するフラッシュ光の強度、フラッシュ光の性質などが異なる。撮影モードには、通常撮影、斜め撮影、全身撮影がある。撮影モードに応じて、異なる範囲が撮影範囲として設定される。
【０１３９】
例えば、beautyコースにおいては、クロマキーカーテンをおろした状態で、１枚目と２枚目の撮影が通常撮影によって行われ、３枚目、４枚目、５枚目の撮影が斜め撮影によって行われる。クロマキーカーテンの色が利用者の背景色となることにより、beautyコースで撮影された撮影画像に対しては、クロマキー処理によって、利用者の写っている範囲の背景に他の色の画像を合成することが可能になる。
【０１４０】
一方、edgyコースにおいては、クロマキーカーテンのない状態（クロマキーカーテンの状態）で、１枚目の撮影が通常撮影によって行われ、２枚目、３枚目の撮影が斜め撮影によって行われる。また、４枚目、５枚目の撮影が全身撮影によって行われる。
【０１４１】
図１７は、通常撮影の例を示す図である。
【０１４２】
図１７Ａに示す画像３６１はカメラ１０１により撮影された静止画である。縦長の画像である画像３６１には、２人の利用者の頭の上から腰付近までの範囲が写っている。画像３６１の内側に示す長方形の枠Ｆ１で囲む範囲が、通常撮影時にトリミング処理部３１２により切り出される範囲である。枠Ｆ１で示す切り出し範囲は、長手方向が画像３６１の長手方向と平行となり、短手方向が画像３６１の短手方向と平行になるように設定される。
【０１４３】
図１７Ｂに示す画像３６２は、トリミングによって画像３６１から切り出された画像である。このように、通常撮影においては、まっすぐ立っている利用者がそのまままっすぐ写る画像が撮影される。
【０１４４】
図１８は、斜め撮影の例を示す図である。
【０１４５】
図１８Ａに示す画像３７１はカメラ１０１により撮影された静止画である。画像３７１には、図１７Ａの画像３６１と同様に、２人の利用者の頭の上から腰付近までの範囲が写っている。画像３７１の内側に示す長方形の枠Ｆ２で囲む範囲が、斜め撮影時にトリミング処理部３１２により切り出される範囲である。枠Ｆ２で示す切り出し範囲は、まっすぐな状態の枠を、その中心位置を固定にして時計周りの方向に所定の角度だけ傾けるようにして設定される。
【０１４６】
図１８Ｂに示す画像３７２は、トリミングによって画像３７１から切り出された画像である。このように、斜め撮影においては、まっすぐ立っている利用者が左に傾いて写る画像が撮影される。
【０１４７】
図１９は、全身撮影の例を示す図である。
【０１４８】
図１９に示す画像３８１はカメラ１０１により撮影された静止画である。縦長の画像である画像３８１には、２人の利用者の頭の上から足元付近までの範囲が写っている。画像３８１には、撮影空間Ａ１の床面や、背面パネル５１も利用者の背景として写っている。
全身撮影時、カメラ１０１を若干斜め下に向けて撮影が行われる。
【０１４９】
このように、全身撮影においては、まっすぐ立っている利用者の全身が写る画像が撮影される。利用者の背景に撮影空間Ａ１の床面などがそのまま写ることから、edgyコースにおいては、背景画像を合成するbeautyコースの場合と較べて立体感のある画像を撮影することが可能になる。
【０１５０】
なお、ライブビューに用いられる動画像を構成する各フレームに対してもトリミングが適宜施される。例えば、通常撮影時と斜め撮影時、図１７を参照して説明したトリミングと同じトリミングが施される。斜め撮影時であっても、ライブビュー表示される動画像は、まっすぐ立っている利用者の上半身がそのまままっすぐ写る動画像となる。斜め撮影時に図１８を参照して説明したトリミングと同じトリミングが動画像を構成する各フレームに対して施され、利用者が斜めに傾いて写る動画がライブビューに用いられるようにしてもよい。
【０１５１】
図１６の説明に戻り、撮影コースが選択された場合、撮影制御部３１１により動画の撮影が開始され、動画を構成する各フレームに対してトリミング処理部３１２によりトリミングが施される。トリミングにより切り出された画像からなる動画は表示制御部３１３に供給され、タッチパネルモニタ９２のライブビュー表示に用いられる。利用者は、自分たちの写りをタッチパネルモニタ９２の表示を見て確認することになる。また、撮影コースとしてbeautyコースが選択された場合、背景制御部２２２によりクロマキーカーテンが下ろされる。
【０１５２】
beautyコースが選択され、ライブビューの表示が開始されてから所定の時間が経過した場合、ステップＳ２２において、撮影制御部３１１は１枚目の静止画の撮影を通常撮影によって行う。すなわち、撮影制御部３１１により撮影された静止画を対象として、図１７を参照して説明したようにしてトリミング処理部３１２によりトリミングが行われ、利用者の上半身がまっすぐ写っている静止画が得られる。トリミングにより切り出された静止画は調整部３１４に供給される。２枚目以降の静止画についても同様に、撮影が行われる毎に調整部３１４に供給される。
【０１５３】
ステップＳ２３において、撮影制御部３１１は、１枚目の撮影から所定の時間が経過したとき、２枚目の静止画の撮影を通常撮影によって行う。
【０１５４】
ステップＳ２４において、表示制御部３１３は、斜め撮影について紹介する画面をタッチパネルモニタ９２に表示するなどして斜め撮影のガイダンスを行う。上述したように、beautyコースにおいては、３枚目、４枚目、５枚目の撮影が斜め撮影によって行われる。
【０１５５】
ステップＳ２５において、撮影制御部３１１は３枚目の静止画の撮影を斜め撮影によって行う。撮影制御部３１１により撮影された静止画を対象として、図１８を参照して説明したようにしてトリミング処理部３１２によりトリミングが行われ、利用者の上半身が斜めに傾いて写る静止画が得られる。
【０１５６】
ステップＳ２６において、撮影制御部３１１は、３枚目の撮影から所定の時間が経過したとき、４枚目の静止画の撮影を斜め撮影によって行う。
【０１５７】
ステップＳ２７において、撮影制御部３１１は、４枚目の撮影から所定の時間が経過したとき、５枚目の静止画の撮影を斜め撮影によって行う。
【０１５８】
このように、beautyコースにおいては、通常撮影によって撮影された２枚の静止画と、斜め撮影によって撮影された３枚の静止画の５枚の静止画が調整部３１４に供給される。
【０１５９】
一方、edgyコースが選択され、ライブビューの表示が開始されてから所定の時間が経過した場合、ステップＳ２８において、撮影制御部３１１は１枚目の静止画の撮影を通常撮影によって行う。
【０１６０】
ステップＳ２９において、表示制御部３１３は、斜め撮影について紹介する画面をタッチパネルモニタ９２に表示するなどして斜め撮影のガイダンスを行う。edgyコースにおいては、２枚目、３枚目の撮影が斜め撮影によって行われる。
【０１６１】
ステップＳ３０において、撮影制御部３１１は、２枚目の静止画の撮影を斜め撮影によって行う。
【０１６２】
ステップＳ３１において、撮影制御部３１１は、２枚目の撮影から所定の時間が経過したとき、３枚目の静止画の撮影を斜め撮影によって行う。
【０１６３】
ステップＳ３２において、表示制御部３１３は、全身撮影について紹介する画面をタッチパネルモニタ９２に表示するなどして全身撮影のガイダンスを行う。edgyコースにおいては、４枚目、５枚目の撮影が全身撮影によって行われる。
【０１６４】
ステップＳ３３において、撮影制御部３１１は４枚目の静止画の撮影を全身撮影によって行う。すなわち、図１９を参照して説明したような利用者の全身が写る静止画が得られる。
【０１６５】
ステップＳ３４において、撮影制御部３１１は、４枚目の撮影から所定の時間が経過したとき、５枚目の静止画の撮影を全身撮影によって行う。
【０１６６】
このように、edgyコースにおいては、通常撮影によって撮影された１枚の静止画、斜め撮影によって撮影された２枚の静止画、および全身撮影によって撮影された２枚の静止画の５枚の静止画が調整部３１４に供給される。
【０１６７】
ステップＳ３５において、表示制御部３１３は、写り調整画面をタッチパネルモニタ９２に表示させる。写り調整画面は、静止画に写る利用者の目の大きさの調整と、静止画の明るさの調整に用いられる画面である。写り調整画面には、例えば複数の大きさの目を表す画像や、明るさの調整に用いられるボタンが表示される。利用者は、目を表す画像にタッチすることによって画像に写る自身の目の大きさを選択したり、ボタンを操作することによって画像の明るさを選択したりすることができる。静止画の色や利用者の顔の大きさなどの他の写りの調整を写り調整画面において行うことができるようにしてもよい。
【０１６８】
ステップＳ３６において、調整部３１４は、利用者による操作に応じて静止画の画像処理を行い、利用者の目の大きさと静止画の明るさを調整する。すなわち、調整部３１４は、それぞれの静止画から利用者の目を検出し、検出した目の大きさを、利用者によって選択された大きさになるように調整する。また、調整部３１４は、それぞれの静止画の明るさを、利用者によって選択された明るさになるように調整する。調整部３１４は、写りの調整後の静止画を撮影画像として撮影画像記憶部３１５に出力する。
【０１６９】
ステップＳ３７において、撮影画像記憶部３１５は、調整部３１４から供給された５枚の撮影画像を記憶する。その後、図１５のステップＳ２に戻り、それ以降の処理が行われる。
【０１７０】
［編集処理の例］
次に、図２０のフローチャートを参照して、図１５のステップＳ４において行われる編集処理について説明する。
【０１７１】
ステップＳ５１において、編集処理部３０２の表示制御部３３５は、名前入力画面をタブレット内蔵モニタ１３１に表示させる。名前入力画面には、利用者の人数を選択するときに操作されるボタンが表示される。例えば利用者の人数が２人であることが選択された場合、２人の名前を入力することが可能とされる。
【０１７２】
ステップＳ５２において、編集処理部３０２の表示制御部３３５は、プロフィール入力画面をタブレット内蔵モニタ１３１に表示させる。プロフィール入力画面には、利用者に関する情報を入力することが可能とされる。
【０１７３】
ステップＳ５３において、表示制御部３３５は、beautyコースによって撮影が行われたか否かを判定する。
【０１７４】
beautyコースによって撮影が行われたとステップＳ５３において判定した場合、ステップＳ５４において、表示制御部３３５は、背景画像の選択画面をタブレット内蔵モニタ１３１に表示させる。背景画像の選択画面には、背景の色の選択を促すメッセージとともに、各種の色や柄の画像が背景画像として複数表示される。
【０１７５】
背景画像は、撮影画像に写る利用者の背景として用いられる画像である。beautyコースによる撮影処理が行われた後の編集処理においては、クロマキー処理によって利用者の背景に背景画像が合成された撮影画像が編集対象の画像として用いられる。
【０１７６】
ステップＳ５５において、編集対象画像生成部３３１は、撮影画像記憶部３１５から５枚の撮影画像を読み出し、それぞれの撮影画像に対して背景画像を合成する。すなわち、編集対象画像生成部３３１は、利用者の背景領域を抽出し、抽出した領域に背景画像を合成する処理を、各撮影画像を対象として行う。
【０１７７】
edgyコースによって撮影が行われたとステップＳ５３において判定された場合、ステップステップＳ５４，Ｓ５５の処理はスキップされる。
【０１７８】
ステップＳ５６において、編集対象画像生成部３３１は、撮影画像に角丸処理を施し、編集対象の撮影画像を生成する。beautyコースによって撮影が行われている場合には、背景画像が合成された撮影画像に対して角丸処理が施され、edgyコースによって撮影が行われている場合には、撮影画像記憶部３１５から読み出された撮影画像に対して角丸処理が施される。編集対象画像生成部３３１により生成された編集対象の撮影画像は編集対象画像記憶部３３２に記憶される。
【０１７９】
ステップＳ５７において、表示制御部３３５は、編集画面をタブレット内蔵モニタ１３１に表示させる。編集画面には、編集対象画像記憶部３３２から読み出された撮影画像が表示される。
【０１８０】
図２１は、編集画面の例を示す図である。
【０１８１】
編集画面は、主な構成が左右対象に設けられることによって構成される。左半分の領域である領域４０２Ｌは、タブレット内蔵モニタ１３１に向かって左側にいる利用者により用いられる領域であり、右半分の領域である領域４０２Ｒは、タブレット内蔵モニタ１３１に向かって右側にいる利用者により用いられる領域である。中央上方の領域４０１には編集処理の残り時間が表示される。なお、図２１の各領域を囲む破線は画面に実際に表示されるものではない。
【０１８２】
領域４０２Ｌの中央上方のサムネイル画像表示領域４１１Ｌは、撮影画像を表すサムネイル画像の表示領域である。利用者（タブレット内蔵モニタ１３１に向かって左側にいる利用者）は、サムネイル画像表示領域４１１Ｌに表示されているサムネイル画像を選択することによって、編集対象とする撮影画像を選択することができる。
【０１８３】
図２１の例においては、５枚の撮影画像を表すサムネイル画像Ｐ１乃至Ｐ５が撮影順に並べて表示され、左端のサムネイル画像Ｐ１が選択されることによって、１枚目の撮影画像が編集対象とされている。
【０１８４】
サムネイル画像表示領域４１１Ｌに表示されている５枚のサムネイル画像のうち、サムネイル画像Ｐ１乃至Ｐ３は利用者の上半身が写っているサムネイル画像であり、サムネイル画像Ｐ４，Ｐ５は利用者の全身が写っているサムネイル画像である。図２１の編集画面は、edgyコースによって撮影が行われた後の編集処理時に表示される画面である。
【０１８５】
サムネイル画像表示領域４１１Ｌに表示されるサムネイル画像Ｐ１乃至Ｐ５は、編集対象画像生成部３３１により生成された編集対象の撮影画像を縮小した画像であり、角丸の画像になっている。beautyコースでの撮影が行われた後に表示される編集画面のサムネイル画像表示領域４１１Ｌには、角丸処理が施されるとともに、背景画像の合成処理が施された撮影画像を表すサムネイル画像が表示される。
【０１８６】
領域４０２Ｌの略中央に形成された比較的大きな編集領域４１２Ｌは、編集対象として選択された撮影画像の表示領域である。図２１の例においては１枚目の撮影画像が表示されている。利用者は、タッチペン１３２Ａを用いて編集ツールを選択し、編集領域４１２Ｌに表示された撮影画像の編集を行うことができる。編集領域４１２Ｌに表示される撮影画像も、編集対象画像生成部３３１により角丸処理などが施された画像である。
【０１８７】
編集領域４１２Ｌの左側のペンツール選択領域４１３Ｌは、手書き入力に用いられるペンツールの選択ボタンの表示領域である。ペンツール選択領域４１３Ｌには、線の種類、太さ、色の選択に用いられるボタンが複数表示される。ペンツール選択領域４１３Ｌの各ボタンは、編集画面が表示されている間、常時表示される。
【０１８８】
編集領域４１２Ｌの下の編集用パレット表示領域４１４Ｌは、スタンプ画像などの各種の編集ツールの選択に用いられる編集用パレットの表示領域である。編集用パレットに表示される編集ツールは「PROF-select」、「ROUGH-design」、「HIGH-design」のカテゴリ毎に分かれており、それぞれのカテゴリ名が付されたタブを選択することによって、編集用パレット表示領域４１４Ｌに表示させる編集ツールを切り替えることができるようになされている。
【０１８９】
図２１の例においては、「PROF-select」のカテゴリが選択され、「PROF-select」のカテゴリに属する編集ツールの選択ボタンが表示されている。「PROF-select」のカテゴリに属する編集ツールが、編集処理の開始時に入力されたプロフィールに応じて切り替わるようにしてもよい。
【０１９０】
編集領域４１２Ｌの右側の修正ツール選択領域４１５Ｌは、入力した編集を消すときに用いられるツールである消しゴムツールの選択に用いられるボタン、１つ前または１つ後の作業に戻るときに操作されるボタンなどが縦に並べて表示される領域である。
【０１９１】
修正ツール選択領域４１５Ｌの右側の一括編集ボタン４１６Ｌは、予め決められた編集を一括して入力するときに操作されるボタンである。一括編集ボタン４１６Ｌの下には、領域４０２Ｒに跨る形で、編集時のBGMの設定を行うときに操作されるボタンの表示領域であるBGM設定領域４１７が形成される。
【０１９２】
編集用パレット表示領域４１４Ｌの右側には、メイクアップツールを利用するときに操作されるメイクアップツールボタン４１８Ｌと、サーバに送信する画像の編集を行うときに操作されるケータイおまけボタン４１９Ｌが表示される。縦長長方形のケータイおまけボタン４１９Ｌには、「MOBILE  ケータイおまけ」の文字とスマートフォンの外観の画像が表示されるとともに、スマートフォンの外観の画像に重ねて「PUSH」の文字が表示される。ケータイおまけボタン４１９Ｌに外観の画像が表示されているスマートフォンのディスプレイには、利用者が写る撮影画像が嵌め込まれている。
【０１９３】
修正ツール選択領域４１５Ｌの上には、編集処理を終了するときに操作される終了ボタン４２０Ｌが表示される。
【０１９４】
タブレット内蔵モニタ１３１に向かって右側にいる利用者が使う領域４０２Ｒには、以上のような領域４０２Ｌの構成と同じ構成が位置を対称にして配置される。図２１の例においては、サムネイル画像表示領域４１１Ｒからサムネイル画像Ｐ４を選択することによって、全身が写る４枚目の撮影画像が編集対象とされている。
【０１９５】
図２０の説明に戻り、ステップＳ５８において、編集部３３３は、利用者による編集入力に従って撮影画像の編集を行う。
【０１９６】
ステップＳ５９において、編集部３３３は、編集終了か否かを判定し、編集終了ではないと判定した場合、ステップＳ５７に戻り、撮影画像の編集を続ける。撮影画像の編集は、終了ボタン４２０Ｌ，４２０Ｒが操作されるまで、または制限時間が経過するまで続けられる。
【０１９７】
一方、編集終了であるとステップＳ５９において判定された場合、ステップＳ６０において、加工部３３６は、編集対象画像記憶部３３２から所定の撮影画像を読み出し、読み出した撮影画像に加工を施して加工画像を生成する。
【０１９８】
例えば、撮影がbeautyコースにより行われている場合、５枚目の撮影画像に基づいて加工画像が生成される。一方、撮影がedgyコースにより行われている場合、３枚目の撮影画像に基づいて加工画像が生成される。beautyコースによって撮影される５枚目の撮影画像とedgyコースによって撮影される３枚目の撮影画像は、いずれも斜め撮影によって撮影される画像である。
【０１９９】
ステップＳ６１において、配置処理部３３７は、画像配置領域に撮影画像または編集画像を配置し、余白領域に加工画像を配置することによってシール紙イメージを生成する。
加工画像には文字情報が適宜重畳される。
【０２００】
図２２は、シール紙イメージ上の領域の例を示す図である。
【０２０１】
シール紙イメージ４４１は１人分のシール紙全体を表す。シール紙イメージ４４１上には、カラーの撮影画像または編集画像が印刷される領域である画像配置領域４５１−１が上段中央に配置され、画像配置領域４５１−２が上段右端に設定される。下段には、左から順に、画像配置領域４５１−３，４５１−４，４５１−５が設定される。それぞれの画像配置領域は、シール紙イメージ４４１の縁から若干離れた位置に、画像配置領域同士間隔を空けて設定される。
【０２０２】
画像配置領域以外の領域である、左上端の領域、シール紙イメージ４４１の縁の領域、および画像配置領域同士の間の領域を併せた領域が余白領域４５２となる。余白領域４５２のうち、破線で囲んで示す、画像配置領域とほぼ同じ大きさの左上の領域が、加工画像が配置される加工画像配置領域４６１となる。
【０２０３】
図２３は、画像の配置の例を示す図である。
【０２０４】
図２３Ａは、beautyコースによって撮影が行われた場合の配置の例を示し、図２３Ｂは、edgyコースによって撮影が行われた場合の配置の例を示す。画像配置領域４５１−１乃至４５１−５に配置されている画像の中央に円で囲んで示す数字は、何枚目の撮影画像であるのかを示す。
【０２０５】
なお、説明の便宜上、編集が施されていない撮影画像を各画像配置領域に示しているが、撮影画像に編集が施されている場合、撮影画像に代えて、それに編集を施して得られた編集画像が配置される。
【０２０６】
beautyコースによって撮影が行われた場合、図２３Ａに示すように、上段の画像配置領域４５１−１には１枚目の撮影画像が配置され、画像配置領域４５１−２には２枚目の撮影画像が配置される。上段に配置される撮影画像は、通常撮影によって撮影された、利用者がまっすぐ写っている画像である。
【０２０７】
また、下段の画像配置領域４５１−３には３枚目の撮影画像が配置され、画像配置領域４５１−４には４枚目の撮影画像が配置され、画像配置領域４５１−５には５枚目の撮影画像が配置される。下段に配置される撮影画像は、斜め撮影によって撮影された、利用者が斜めに傾いて写っている画像である。
【０２０８】
撮影がbeautyコースにより行われているから、加工画像配置領域４６１には、５枚目の撮影画像である、右下の画像配置領域４５１−５に配置されている撮影画像に基づいて生成された加工画像が配置される。加工画像には各種の文字情報が重畳して印刷される。
【０２０９】
枠Ｆ１１と枠Ｆ１２で囲んで示すように、加工画像配置領域４６１に配置される加工画像と、その元になった５枚目の撮影画像との位置関係は、シール紙イメージ４４１上では対角に位置する関係となる。同じ構図の画像が対角の位置に配置されることにより、バランスのよい配置で画像が印刷されたシール紙を提供することが可能になる。枠は説明の便宜上示すものである。
【０２１０】
仮に、画像配置領域４５１−１に配置された１枚目の撮影画像や画像配置領域４５１−３に配置された３枚目の撮影画像に基づいて加工画像が生成されるとした場合、同じ構図の画像が並んでしまうことになり、シール紙全体として見たときにバランスが悪いものになってしまうが、そのようなことを防ぐことが可能になる。
【０２１１】
また、加工画像と、３枚目、４枚目、５枚目の撮影画像は、利用者が左斜めに傾けて写る画像である。利用者が同じ方向に傾いて写る画像がＬ字状に配置されることにより、被写体の向きに規則性がない場合に較べて、バランスがよく、全体的に統一感のあるシール紙を提供することが可能になる。
【０２１２】
さらに、画像配置領域に配置される画像は、画像に写る利用者の目の大きさ、画像の明るさなどの写りが調整された画像である。加工画像を写りの調整後の撮影画像に基づいて生成することにより、各画像配置領域に配置される画像と加工画像配置領域４６１に配置される加工画像との写りを統一させることが可能になる。
【０２１３】
仮に、画像配置領域には写りの調整後の画像を配置し、加工画像配置領域４６１には、写りを調整していない画像に基づいて生成した加工画像を配置するとした場合、それらの画像に写る利用者の目の大きさなどが異なり、加工画像に写る利用者と画像配置領域に配置された画像に写る利用者とを較べたときに違和感が生じてしまうが、そのようなことを防ぐことが可能になる。
【０２１４】
一方、edgyコースによって撮影が行われた場合、図２３Ｂに示すように、通常撮影によって撮影された１枚目の撮影画像は上段の画像配置領域４５１−１に配置される。また、斜め撮影によって撮影された２枚目の撮影画像と３枚目の撮影画像は、横に並べて、それぞれ下段の画像配置領域４５１−３，４５１−４に配置される。全身撮影によって撮影された４枚目の撮影画像と５枚目の撮影画像は、上段の画像配置領域４５１−２と下段の画像配置領域４５１−５に縦に並べて配置される。
【０２１５】
撮影がedgyコースにより行われているから、加工画像配置領域４６１には、３枚目の撮影画像である、下段中央の画像配置領域４５１−４に配置されている撮影画像に基づいて生成された加工画像が配置される。
【０２１６】
枠Ｆ２１と枠Ｆ２２で囲んで示すように、加工画像配置領域４６１に配置される加工画像と、その元になった３枚目の撮影画像との位置関係は、シール紙イメージ４４１上では斜めに位置する関係となる。同じ構図の撮影画像が斜めの位置関係を有するようにして配置されることにより、バランスのよい配置で画像が印刷されたシール紙を提供することが可能になる。
【０２１７】
また、加工画像と、２枚目、３枚目の撮影画像は、利用者が左斜めに傾けて写る画像である。利用者が同じ方向に傾いて写る画像がＬ字状に配置されることにより、バランスのよいシール紙を提供することが可能になる。
【０２１８】
さらに、beautyコースで撮影が行われた場合に加工画像の生成に用いられる５枚目の撮影画像をedgyコースにおいても加工画像の生成に用いるとした場合、利用者の全身が写っている加工画像が加工画像配置領域４６１に表示され、上半身が写る撮影画像に囲まれることになってシール紙全体のバランスが悪くなってしまう。edgyコースにおいては上半身が写っている３枚目の撮影画像を用いて加工画像を生成することにより、そのようなことを防ぐことが可能になる。
【０２１９】
このように、写真シール作成装置１においては、撮影がbeautyコースで行われた場合とedgyコースで行われた場合とで、画像のシール紙上の配置が切り替わる。また、加工画像の生成に用いる撮影画像が切り替わる。これにより、バランスがよく、見栄えのよいシール紙を提供することが可能になる。
【０２２０】
配置処理部３３７は、このようなシール紙イメージを、加工画像に重畳する文字情報を変えるなどして複数生成する。配置処理部３３７により生成されたシール紙イメージは表示制御部３３５に供給される。
【０２２１】
図２０の説明に戻り、ステップＳ６２において、表示制御部３３５は、配置処理部３３７により生成されたシール紙イメージに基づいて、タブレット内蔵モニタ１３１に分割数選択画面を表示させる。
【０２２２】
図２４は、分割数選択画面の例を示す図である。
【０２２３】
分割数選択画面の中央上方には「分割数を選んでね」のメッセージが表示され、画面左上には、横方向のレイアウトを選択するときに操作されるレイアウト選択ボタン４７１と縦方向のレイアウトを選択するときに操作されるレイアウト選択ボタン４７２が表示される。図２４の例においては、レイアウト選択ボタン４７２が操作され、縦方向のレイアウトのシール紙イメージが表示されている。
【０２２４】
左側の領域である領域４８１Ｌは、タブレット内蔵モニタ１３１に向かって左側にいる利用者により用いられる領域であり、右側の領域である領域４８１Ｒは、タブレット内蔵モニタ１３１に向かって右側にいる利用者により用いられる領域である。２人の利用者は、それぞれ異なるレイアウトを選択することができる。
【０２２５】
領域４８１Ｌ内の領域４９１Ｌには、利用者により選択されたレイアウトのシール紙イメージが表示される。領域４９１Ｌの下に形成される領域４９２Ｌには、シール紙イメージ５０１Ｌ乃至５０６Ｌが並べて表示される。
【０２２６】
シール紙イメージ５０１Ｌ乃至５０６Ｌのうち、シール紙イメージ５０１Ｌ乃至５０５Ｌは、余白領域に加工画像が配置されるレイアウトを表し、シール紙イメージ５０６Ｌは、余白領域に加工画像が印刷されないレイアウトを表す。シール紙イメージ５０１Ｌ乃至５０５Ｌが表すレイアウトは、画像の配置は同じであるが、加工画像に重畳される文字情報が異なる。
【０２２７】
図２５は、シール紙イメージ５０１Ｌとシール紙イメージ５０２Ｌを拡大して示す図である。
【０２２８】
図２５Ａに示すシール紙イメージ５０１Ｌと図２５Ｂに示すシール紙イメージ５０２Ｌは、左上の加工画像に重畳して印刷される文字情報の配置、内容、文字のサイズ、色などが異なる。このように、異なる文字情報を重畳した加工画像が配置されたシール紙イメージが配置処理部３３７により生成される。
【０２２９】
図２４の例においては、シール紙イメージ５０１Ｌ乃至５０６Ｌの中からシール紙イメージ５０１Ｌが選択されており、同じ画像が領域４９１Ｌに表示されている。領域４９１Ｌの右隣には、レイアウトを決定するときに操作されるOKボタン４９３Ｌが表示される。
【０２３０】
領域４８１Ｒには、領域４８１Ｌの構成と同じ構成が配置される。図２４の例においては、領域４９２Ｒからシール紙イメージ５０３Ｒを選択することによって、シール紙イメージ５０３Ｒと同じ画像が領域４９１Ｒに表示されている。
【０２３１】
図２６は、分割数選択画面の他の例を示す図である。
【０２３２】
図２６の例においては、レイアウト選択ボタン４７１が操作され、横方向のレイアウトのシール紙イメージが表示されている。横方向のレイアウトは、同じ大きさの５枚の撮影画像または編集画像を横に並べて配置するレイアウトであり、加工画像は印刷されない。
フィルム写真のネガ風に画像が配置されることにより、それぞれの画像の見栄えをよくすることでき、さらに、全ての画像が横一列に並んでいることから、シール紙全体として綺麗に見える。
【０２３３】
領域４８１Ｌ内の領域５１１Ｌには、利用者により選択されたレイアウトのシール紙イメージが表示される。領域５１２Ｌの下に形成される領域５１２Ｌには、６種類のレイアウトのシール紙イメージ５２１Ｌ乃至５２６Ｌが並べて表示される。
【０２３４】
図２６の例においては、シール紙イメージ５２１Ｌ乃至５２６Ｌの中からシール紙イメージ５２１Ｌが選択されており、同じ画像が領域５１１Ｌに表示されている。領域５１２Ｌの下には、レイアウトを決定するときに操作されるOKボタン５１３Ｌが表示される。
【０２３５】
領域４８１Ｒには、領域４８１Ｌの構成と同じ構成が配置される。図２６の例においては、領域５１２Ｒからシール紙イメージ５２３Ｒを選択することによって、シール紙イメージ５２３Ｒと同じ画像が領域５１１Ｒに表示されている。
【０２３６】
このように、分割数選択画面においては、レイアウト選択ボタン４７１とレイアウト選択ボタン４７２を操作することによって、表示させるシール紙イメージのレイアウトの方向を切り替えることができるようになされている。縦方向のレイアウトのシール紙イメージと、横方向のレイアウトのシール紙イメージを混在させないことによって、分割数選択画面の表示をすっきりさせることが可能になる。
【０２３７】
領域４８１Ｌに縦方向のレイアウトのシール紙イメージを表示させ、領域４８１Ｒに横方向のレイアウトのシール紙イメージを表示させるといったように、異なるレイアウトのシール紙イメージを左側にいる利用者と右側にいる利用者がそれぞれ表示させることができるようにしてもよい。当然、分割数選択画面において縦方向のレイアウトのシール紙イメージと横方向のレイアウトのシール紙イメージが混在するようにしてもよい。
【０２３８】
分割数選択画面から所定のレイアウトが選択されたとき、図２０のステップＳ６３において、シール紙イメージ記憶部３３８は、利用者により選択された２つのレイアウトのシール紙イメージを記憶する。その後、図１５のステップＳ４に戻り、それ以降の処理が行われる。
【０２３９】
［印刷処理の例］
次に、図２７のフローチャートを参照して、図１５のステップＳ６において行われる印刷処理について説明する。
【０２４０】
ステップＳ７１において、印刷処理部３０３の印刷データ生成部３５１は、利用者により選択された２つのレイアウトのシール紙イメージをシール紙イメージ記憶部３３８から読み出し、読み出した印刷イメージに基づいて印刷データを生成する。
【０２４１】
ステップＳ７２において、印刷制御部３５２は、印刷データ生成部３５１により生成された印刷データをプリンタ２４１に出力し、印刷を開始する。その後、図１５のステップＳ６に戻り、それ以降の処理が行われる。印刷が終了したとき、図１５のステップＳ８において、印刷済みのシール紙がシール紙排出口１６２に排出される。
【０２４２】
図２８は、画像が印刷されたシール紙の例を示す図である。
【０２４３】
図２８Ａは、縦方向のレイアウトで印刷されたシール紙を示し、図２８Ｂは、横方向のレイアウトで印刷されたシール紙を示す。
【０２４４】
縦方向のレイアウトが選択された場合、図２８Ａに示すように、縦長長方形の１枚のシール紙には、一方の利用者により選択されたレイアウトのシール紙イメージと他方の利用者により選択されたレイアウトのシール紙イメージが縦に並べて印刷される。
【０２４５】
一方、横方向のレイアウトが選択された場合、図２８Ｂに示すように、縦長長方形の１枚のシール紙には、一方の利用者により選択されたレイアウトのシール紙イメージと他方の利用者により選択されたレイアウトのシール紙イメージが横に、シール紙の長手方向の縁を上下にして並べて印刷される。
【０２４６】
シール紙排出口１６２から図２８Ａのシール紙を取り出した利用者ははさみなどで上下に切り、縦方向のレイアウトのシール紙イメージが印刷されたシール紙を分け合う。また、図２８Ｂのシール紙を取り出した利用者ははさみなどで左右に切り、横方向のレイアウトのシール紙イメージが印刷されたシール紙を分け合う。写真シール作成装置１の内部でシール紙が切断され、２枚のシール紙がシール紙排出口１６２に排出されるようにしてもよい。
【０２４７】
以上の処理により、利用者は、撮影画像や編集画像がカラーで印刷されるとともに、それらの画像に基づいて生成された、見え方の異なる加工画像が余白に印刷されたシール紙を受け取ることができる。写真シール作成装置１からすれば、撮影にかかる時間を抑えつつ、シール紙の余白を利用者が満足するような形で装飾することができる。
【０２４８】
＜実施例２＞
以上においては、余白領域のうちの左上の領域に加工画像配置領域を設定するものとしたが、加工画像配置領域を他の位置に設定することも可能である。
【０２４９】
図２９は、シール紙イメージ上の領域の他の例を示す図である。図２９に示す領域のうち、図２２に示す領域と同じ領域には同じ符号を付してある。
【０２５０】
図２９の例においては、画像配置領域４５１−１乃至４５１−５を含むように、シール紙イメージ４４１のほぼ全体に加工画像配置領域５５１が設定されている。加工画像配置領域５５１の周りには、シール紙イメージ４４１の縁に沿って余白領域４５２が若干残されている。
【０２５１】
加工画像配置領域５５１にも、画像配置領域４５１−１乃至４５１−５に配置される撮影画像に加工を施すことによって生成された加工画像、または、画像配置領域４５１−１乃至４５１−５に配置される編集画像の元になった撮影画像に加工を施すことによって生成された加工画像が配置される。
【０２５２】
図３０は、図２９の加工画像配置領域に加工画像を配置したイメージを示す図である。
【０２５３】
図３０の加工画像配置領域５５１に配置されている加工画像は、図２３Ｂに示すedgyコースによる撮影画像のうちの、２枚目の撮影画像を加工して得られた画像である。例えば、edgyコースにより撮影された２枚目の撮影画像に対して単一色の濃淡と明暗で被写体を表すように画素値を変更する処理を施し、加工画像配置領域５５１の縦横比と同じ比率の範囲を切り出すことによって生成された加工画像が加工画像配置領域５５１に配置される。
【０２５４】
図３１は、図３０の画像配置領域に撮影画像を配置した例を示す図である。
【０２５５】
図３０の画像配置領域４５１−１乃至４５１−５に配置された画像は、図２３Ｂの画像配置領域４５１−１乃至４５１−５に配置された撮影画像と同じ画像である。加工画像は、加工画像配置領域５５１のうちの、画像配置領域４５１−１乃至４５１−５以外の領域に印刷され、その一部のみが見える状態になる。すなわち、画像配置領域４５１−１乃至４５１−５と重なる加工画像の部分は、撮影画像や編集画像に隠れて見えないことになる。画像配置領域４５１−１乃至４５１−５がかからない加工画像の左上の領域には、文字情報が重畳して印刷される。
【０２５６】
このように、余白領域内の任意の領域に加工画像配置領域を設定することが可能である。また、加工画像配置領域として、画像配置領域より大きい領域を設定することも可能である。加工画像配置領域の位置、大きさ、形状などを利用者が設定することができるようにしてもよい。
【０２５７】
例えば、１つの画像配置領域とほぼ同じ大きさの領域に加工画像配置領域を設定する場合、その位置を、シール紙イメージ４４１の上段中央の画像配置領域４５１−１の位置としてもよいし、右上の画像配置領域４５１−２の位置としてもよい。シール紙の上段中央に加工画像を印刷することにより、撮影画像や編集画像同士のバランスをよくすることが可能になる。
【０２５８】
＜実施例３＞
図３２は、横方向のレイアウトの例を示す図である。
【０２５９】
図３２に示すように、横方向のレイアウトにおいても、加工画像の配置領域が左端などの所定の位置に設定され、撮影画像や編集画像と並べて加工画像が印刷されるようにしてもよい。加工画像が撮影画像の間に印刷されるようにすることも可能である。
【０２６０】
＜実施例４＞
図３３は、分割数選択画面のさらに他の例を示す図である。図３３に示す構成のうち、図２４に示す構成と同じ構成には同じ符号を付してある。
【０２６１】
図３３の例においては、角丸の撮影画像や編集画像を、四隅が直角の画像に置き換えるときに操作される角丸キャンセルボタン５６１Ｌが領域４８１Ｌに設けられ、角丸キャンセルボタン５６１Ｒが領域４８１Ｒに設けられている。例えば角丸キャンセルボタン５６１Ｌが操作された場合、シール紙イメージ５０１Ｌ乃至５０６Ｌは、それぞれ四隅が直角の画像が配置されたシール紙イメージに置き換えられる。
【０２６２】
角丸キャンセルボタン５６１Ｌが操作されることに応じてシール紙イメージ５０１Ｌ乃至５０６Ｌ全体が一括して置き換えるようにしてもよいし、選択されているシール紙イメージ５０１Ｌのみが、四隅が直角の画像が配置されたシール紙イメージに置き換えられるようにしてもよい。
【０２６３】
＜他の実施例＞
図３４は、編集画面の他の例を示す図である。図３４に示す構成のうち、図２１に示す構成と同じ構成には同じ符号を付してある。
【０２６４】
図３４の例においては、編集対象の画像として加工画像が編集領域４１２Ｌに表示されている。利用者は、編集ツールを利用して加工画像に対して手書きの編集を入力することができる。編集領域４１２Ｌに表示されている加工画像に付加されている「LOVE」の文字はペンツールを用いて手書き入力された編集である。
【０２６５】
サムネイル画像表示領域４１１Ｌには、加工画像を表すサムネイル画像であるサムネイル画像Ｐ１１が左端に表示され、選択されている。このように、加工画像を編集することができるようにしてもよい。
【０２６６】
また、以上においては、撮影画像（編集が施されていない画像）に対して加工を施し、加工画像を生成するものとしたが、加工画像を生成する元の画像として、編集画像を用いるようにしてもよい。また、加工画像の元になる画像を、利用者が好みに応じて撮影画像と編集画像の中から選択することができるようにしてもよい。
【０２６７】
例えば、選択画面には、加工画像の元になる画像として撮影画像を用いるときに操作されるボタンと、編集画像を用いるときに操作されるボタンが表示される。加工部３３６は、前者のボタンが操作されたとき、撮影画像に基づいて加工画像を生成し、後者のボタンが操作されたとき、編集画像に基づいて加工画像を生成する。これにより、利用者が意図するシール紙を提供することが可能になる。
【０２６８】
１つのシール紙イメージに配置される加工画像の枚数が１枚であるものとしたが、複数枚の加工画像がシール紙イメージに配置されるようにしてもよい。
【０２６９】
通常、１回の撮影処理において５回の撮影を行うことができ、１枚の加工画像と５枚の撮影画像や編集画像をシール紙に印刷することができるところ、時間の遅延などにより、それより少ない回数しか撮影を行うことができない場合が生じたものとする。この場合、例えば２枚の撮影画像や編集画像が加工画像の生成に用いられ、２枚の加工画像が１つのシール紙イメージに配置される。また、４枚撮影しかできない場合も、そのうち１枚を、通常のカラー画像として、同じ画像でも異なる落書きを利用者に行わせ、合計５枚の中から１枚を加工画像として選択してもよい。
【０２７０】
以上においては、利用者が２人である場合について説明したが、利用者の数は任意である。
【０２７１】
図３５は、３人の利用者がbeautyコースで撮影を行った場合のシール紙の例を示す図である。
【０２７２】
利用者の人数が３人である場合、１枚のシール紙が横に３つの領域に分割され、各領域に、１枚の加工画像と５枚の撮影画像または編集画像との６枚の画像が並べて印刷される。説明の便宜上、同じ構図の画像が配置されているが、実際には、それぞれ異なる構図の５枚の画像が配置される。図３６以降においても同様である。
【０２７３】
各領域には、６枚の画像が横に２枚、縦に３枚ずつ並べて配置され、そのうち、加工画像は左上に配置される。加工画像は、６枚の画像において対角の位置にある、上から３段目の右側の画像に基づいて生成される。
【０２７４】
例えば編集開始時に表示されるプロフィール入力画面に人数が３人であることが入力された場合、分割数選択画面にはこのような３人用のレイアウトのシール紙イメージが表示される。分割数選択画面において利用者の人数を指定し、３人用のレイアウトのシール紙イメージを表示させることができるようにしてもよい。
【０２７５】
図３６は、３人の利用者がedgyコースで撮影を行った場合のシール紙の例を示す図である。
【０２７６】
３人の利用者がedgyコースで撮影を行った場合もbeautyコースで撮影を行った場合と同様に、１枚のシール紙を分割した３つのそれぞれの領域に６枚の画像が並べて印刷される。６枚の画像のうち、上から３段目には、全身撮影によって撮影された画像が並べて配置される。加工画像は、加工画像配置領域の右下の画像配置領域に配置された画像（上から２段目の右側の画像）に基づいて生成される。
【０２７７】
図３７は、４人の利用者がbeautyコースで撮影を行った場合のシール紙の例を示す図である。
【０２７８】
利用者の人数が４人である場合、１枚のシール紙が縦に２分割、横に２分割され、４つの領域が形成される。各領域には、１枚の加工画像と５枚の撮影画像や編集画像との６枚の画像が並べて印刷される。各領域には、６枚の画像が横に２枚、縦に３枚ずつ並べて配置され、そのうち、加工画像は左上に配置される。加工画像は、６枚の画像において対角の位置にある、上から３段目の右側の画像に基づいて生成される。
【０２７９】
例えば編集開始時に表示されるプロフィール入力画面に人数が４人であることが入力された場合、分割数選択画面にはこのような４人用のレイアウトのシール紙イメージが表示される。分割数選択画面において利用者の人数を指定し、４人用のレイアウトのシール紙イメージを表示させることができるようにしてもよい。
【０２８０】
図３８は、４人の利用者がedgyコースで撮影を行った場合のシール紙の例を示す図である。
【０２８１】
４人の利用者がedgyコースで撮影を行った場合もbeautyコースで撮影を行った場合と同様に、１枚のシール紙を分割した４つのそれぞれの領域に６枚の画像が並べて印刷される。６枚の画像のうち、上から３段目には、全身撮影によって撮影された画像が並べて配置される。加工画像は、加工画像配置領域の右下の画像配置領域に配置された画像に基づいて生成される。
【０２８２】
このように、シール紙には、利用者の人数に応じたレイアウトで加工画像と複数の撮影画像または編集画像が印刷される。
【０２８３】
本発明の実施の形態は、上述した実施の形態に限定されるものではなく、本発明の要旨を逸脱しない範囲において種々の変更が可能である。
【符号の説明】
【０２８４】
１  写真シール作成装置，  １１  撮影ユニット，  １２  編集ユニット，  ２０１  制御部，  ３０１  撮影処理部，  ３０２  編集処理部，  ３０３  印刷処理部，  ３１１  撮影制御部，  ３１２  トリミング処理部，  ３１３  表示制御部，  ３１４  調整部，  ３１５  撮影画像記憶部，  ３３１  編集対象画像生成部，  ３３２  編集対象画像記憶部，  ３３３  編集部，  ３３４  編集画像記憶部，  ３３５  表示制御部，  ３３６  加工部，  ３３７  配置処理部，  ３３８  シール紙イメージ記憶部，  ３５１  印刷データ生成部，  ３５２  印刷制御部
【要約】
【課題】撮影にかかる時間を抑えつつ、余白も含めたシール紙の印刷可能なすべての領域を利用者が満足するような形で装飾することができるようにする。
【解決手段】本発明の一側面の画像印刷装置が提供するシール紙には、撮影画像または編集画像が配置される領域である画像配置領域と、画像配置領域以外の領域である余白領域とが形成される。画像印刷装置は、画像配置領域に配置される撮影画像と、画像配置領域に配置される編集画像または編集画像の元になった撮影画像と、のうちの少なくとも１枚の画像の全ての画素に対して、画像の見え方が異なるものになるように加工を施す。また、画像印刷装置は、撮影画像または編集画像を画像配置領域に配置し、加工を施すことによって生成した加工画像を余白領域に配置する。本発明は、撮影した画像をシール紙に印刷する写真シール作成装置に適用することができる。
【選択図】図９【図１】
0005633765.tif 000002
【図２】
0005633765.tif 000003
【図３】
0005633765.tif 000004
【図４】
0005633765.tif 000005
【図５】
0005633765.tif 000006
【図６】
0005633765.tif 000007
【図７】
0005633765.tif 000008
【図８】
0005633765.tif 000009
【図９】
0005633765.tif 000010
【図１０】
0005633765.tif 000011
【図１１】
0005633765.tif 000012
【図１２】
0005633765.tif 000013
【図１３】
0005633765.tif 000014
【図１４】
0005633765.tif 000015
【図１５】
0005633765.tif 000016
【図１６】
0005633765.tif 000017
【図１７】
0005633765.tif 000018
【図１８】
0005633765.tif 000019
【図１９】
0005633765.tif 000020
【図２０】
0005633765.tif 000021
【図２１】
0005633765.tif 000022
【図２２】
0005633765.tif 000023
【図２３】
0005633765.tif 000024
【図２４】
0005633765.tif 000025
【図２５】
0005633765.tif 000026
【図２６】
0005633765.tif 000027
【図２７】
0005633765.tif 000028
【図２８】
0005633765.tif 000029
【図２９】
0005633765.tif 000030
【図３０】
0005633765.tif 000031
【図３１】
0005633765.tif 000032
【図３２】
0005633765.tif 000033
【図３３】
0005633765.tif 000034
【図３４】
0005633765.tif 000035
【図３５】
0005633765.tif 000036
【図３６】
0005633765.tif 000037
【図３７】
0005633765.tif 000038
【図３８】
0005633765.tif 000039